(57)【要約】【課題】集団のメンバー毎にマイクロフォンとスピーカが設けられ、同じ部屋に複数のメンバーがいてもエコーの発生を抑える。【解決手段】Ｗｅｂ会議で使用される情報処理装置１０Ａ〜１０Ｃは、マイクロフォンで収音した音声の音圧レベルが予め定められた閾値以上である場合、収音した音声を表す音声信号をサーバ装置２０へ送信する。サーバ装置２０は、情報処理装置１０Ａ〜１０Ｃから送信された音声信号を情報処理装置１０Ａ〜１０Ｃへ送信する。情報処理装置１０Ａ〜１０Ｃは、受信した音声信号を送信した装置が同じ部屋にある装置である場合、受信した音声信号が表す音声を出力しない。【選択図】図１
2019140517.tif 000002
【特許請求の範囲】
【請求項１】
マイクロフォンから供給される音声信号を取得する第１取得手段と、
通信回線を介して供給される音声信号を取得する第２取得手段と、
前記第１取得手段が取得した音声信号が表す音声の音圧レベルが予め定められた閾値以上である場合、前記第１取得手段が取得した音声信号を前記通信回線へ出力し、前記音圧レベルが予め定められた閾値未満である場合、前記第１取得手段が取得した音声信号を前記通信回線へ出力しない出力手段と、
前記第２取得手段が取得した音声信号をスピーカへ供給する手段であって、前記音圧レベルが予め定められた閾値以上である場合、前記第２取得手段が取得した音声信号をスピーカへ供給しない供給手段と
を備える情報処理装置。
【請求項２】
前記第２取得手段が取得した音声信号が自装置と同部屋にある装置から出力された音声信号であるか判定する判定手段を有し、
前記供給手段は、前記音圧レベルが予め定められた閾値未満であり、前記第２取得手段が取得した音声信号が自装置と同部屋にある装置から出力された音声信号であると前記判定手段が判定した場合、前記第２取得手段が取得した音声信号を前記スピーカへ供給しない
請求項１に記載の情報処理装置。
【請求項３】
前記音声信号は、当該音声信号を出力した装置の識別子を含み、
前記判定手段は、前記第２取得手段が取得した音声信号に含まれる前記識別子が予め登録された識別子である場合、当該音声信号が自装置と同部屋にある装置から出力された音声信号であると判定する
請求項２に記載の情報処理装置。
【請求項４】
前記判定手段は、前記第１取得手段が取得した音声信号と前記第２取得手段が取得した音声信号を照合して一致した場合、前記第２取得手段が取得した音声信号が自装置と同部屋にある装置から出力された音声信号であると判定する
請求項２に記載の情報処理装置。
【請求項５】
前記供給手段は、前記第２取得手段が取得した音声信号において自装置と異なる部屋にある装置から出力された音声信号がある場合、自装置と異なる部屋にある装置から出力された音声信号を前記スピーカへ供給する
請求項１から請求項４のいずれか一項に記載の情報処理装置。
【請求項６】
前記供給手段は、自装置と異なる部屋にある装置から出力された音声信号と自装置と同部屋にある装置から出力された音声信号を前記第２取得手段が取得した場合、自装置と同部屋にある装置から出力された音声信号も前記スピーカへ供給する
請求項５に記載の情報処理装置。
【請求項７】
自装置のユーザを撮影して当該ユーザの画像を生成する撮像手段と、
前記撮像手段が生成した画像において前記ユーザの状態を認識する認識手段を有し、
前記出力手段は、前記第１取得手段が取得した音声信号の前記通信回線への出力を前記認識手段が認識した状態に応じて制御する
請求項１に記載の情報処理装置。
【請求項８】
前記認識手段は、前記状態として前記ユーザの視線の方向を認識し、
前記出力手段は、前記認識手段が認識した視線の方向が予め定められた方向である場合、前記第１取得手段が取得した音声信号を前記通信回線へ出力しない
請求項７に記載の情報処理装置。
【請求項９】
前記認識手段は、前記状態として前記ユーザの顔が向いている方向を認識し、
前記認識手段が認識した前記方向が予め定められた方向である場合、前記第１取得手段が取得した音声信号を前記通信回線へ出力しない
請求項７に記載の情報処理装置。
【請求項１０】
コンピュータを、
マイクロフォンから供給される音声信号を取得する第１取得手段と、
通信回線を介して供給される音声信号を取得する第２取得手段と、
前記第１取得手段が取得した音声信号が表す音声の音圧レベルが予め定められた閾値以上である場合、前記第１取得手段が取得した音声信号を前記通信回線へ出力し、前記音圧レベルが予め定められた閾値未満である場合、前記第１取得手段が取得した音声信号を前記通信回線へ出力しない出力手段と、
前記第２取得手段が取得した音声信号をスピーカへ供給する手段であって、前記音圧レベルが予め定められた閾値以上である場合、前記第２取得手段が取得した音声信号をスピーカへ供給しない供給手段
として機能させるためのプログラム。
【発明の詳細な説明】
【技術分野】
【０００１】
本発明は、情報処理装置及びプログラムに関する。
【背景技術】
【０００２】
音声会議システムにおいてエコーの発生を防ぐ発明として、例えば特許文献１に開示された音声会議システムがある。この音声会議システムは、マイクとスピーカを備えた音声会議装置を複数台接続した構成であり、音声会議装置は、自装置が担当する会議出席者の音声が入力されていない場合は、マイクからの信号を他装置へ出力せず、他装置で収音された音声をスピーカから放音する。また、音声会議装置は、自装置が担当する会議出席者の音声が入力されている場合は、マイクからの信号を他装置へ出力し、スピーカをオフにする。
【先行技術文献】
【特許文献】
【０００３】
【特許文献１】特開２００８−１４７８２２号公報
【発明の概要】
【発明が解決しようとする課題】
【０００４】
集団が通信回線を介して会話を行う際においては、遠隔地のメンバーと会話を行う際に、同じ部屋に複数人のメンバーが集まり、メンバーの各々がマイク及びスピーカを備えた端末装置で会話を行う方法もある。この場合、複数人のメンバーがいる部屋においては、発話したメンバーの音声は、同じ部屋にいる他のメンバーの端末装置のマイクで収音され、発話したメンバーの端末装置へ通信回線を介して送信され、発話したメンバーの端末装置のスピーカから出力されて発話したメンバーへ届いてしまう。
【０００５】
本発明は、集団のメンバー毎にマイクロフォンとスピーカが設けられ、同じ部屋に複数のメンバーがいてもエコーの発生を抑えることを目的とする。
【課題を解決するための手段】
【０００６】
本発明の請求項１に係る情報処理装置は、マイクロフォンから供給される音声信号を取得する第１取得手段と、通信回線を介して供給される音声信号を取得する第２取得手段と、前記第１取得手段が取得した音声信号が表す音声の音圧レベルが予め定められた閾値以上である場合、前記第１取得手段が取得した音声信号を前記通信回線へ出力し、前記音圧レベルが予め定められた閾値未満である場合、前記第１取得手段が取得した音声信号を前記通信回線へ出力しない出力手段と、前記第２取得手段が取得した音声信号をスピーカへ供給する手段であって、前記音圧レベルが予め定められた閾値以上である場合、前記第２取得手段が取得した音声信号をスピーカへ供給しない供給手段とを備える。
【０００７】
本発明の請求項２に係る情報処理装置は、前記第２取得手段が取得した音声信号が自装置と同部屋にある装置から出力された音声信号であるか判定する判定手段を有し、前記供給手段は、前記音圧レベルが予め定められた閾値未満であり、前記第２取得手段が取得した音声信号が自装置と同部屋にある装置から出力された音声信号であると前記判定手段が判定した場合、前記第２取得手段が取得した音声信号を前記スピーカへ供給しない構成である。
【０００８】
本発明の請求項３に係る情報処理装置においては、前記音声信号は、当該音声信号を出力した装置の識別子を含み、前記判定手段は、前記第２取得手段が取得した音声信号に含まれる前記識別子が予め登録された識別子である場合、当該音声信号が自装置と同部屋にある装置から出力された音声信号であると判定する。
【０００９】
本発明の請求項４に係る情報処理装置においては、前記判定手段は、前記第１取得手段が取得した音声信号と前記第２取得手段が取得した音声信号を照合して一致した場合、前記第２取得手段が取得した音声信号が自装置と同部屋にある装置から出力された音声信号であると判定する。
【００１０】
本発明の請求項５に係る情報処理装置においては、前記供給手段は、前記第２取得手段が取得した音声信号において自装置と異なる部屋にある装置から出力された音声信号がある場合、自装置と異なる部屋にある装置から出力された音声信号を前記スピーカへ供給する。
【００１１】
本発明の請求項６係る情報処理装置においては、前記供給手段は、自装置と異なる部屋にある装置から出力された音声信号と自装置と同部屋にある装置から出力された音声信号を前記第２取得手段が取得した場合、自装置と同部屋にある装置から出力された音声信号も前記スピーカへ供給する。
【００１２】
本発明の請求項７に係る情報処理装置は、自装置のユーザを撮影して当該ユーザの画像を生成する撮像手段と、前記撮像手段が生成した画像において前記ユーザの状態を認識する認識手段を有し、前記出力手段は、前記第１取得手段が取得した音声信号の前記通信回線への出力を前記認識手段が認識した状態に応じて制御する。
【００１３】
本発明の請求項８に係る情報処理装置においては、前記認識手段は、前記状態として前記ユーザの視線の方向を認識し、前記出力手段は、前記認識手段が認識した視線の方向が予め定められた方向である場合、前記第１取得手段が取得した音声信号を前記通信回線へ出力しない。
【００１４】
本発明の請求項９に係る情報処理装置においては、前記認識手段は、前記状態として前記ユーザの顔が向いている方向を認識し、前記認識手段が認識した前記方向が予め定められた方向である場合、前記第１取得手段が取得した音声信号を前記通信回線へ出力しない。
【００１５】
本発明の請求項１０に係るプログラムは、コンピュータを、マイクロフォンから供給される音声信号を取得する第１取得手段と、通信回線を介して供給される音声信号を取得する第２取得手段と、前記第１取得手段が取得した音声信号が表す音声の音圧レベルが予め定められた閾値以上である場合、前記第１取得手段が取得した音声信号を前記通信回線へ出力し、前記音圧レベルが予め定められた閾値未満である場合、前記第１取得手段が取得した音声信号を前記通信回線へ出力しない出力手段と、前記第２取得手段が取得した音声信号をスピーカへ供給する手段であって、前記音圧レベルが予め定められた閾値以上である場合、前記第２取得手段が取得した音声信号をスピーカへ供給しない供給手段として機能させるためのプログラムである。
【発明の効果】
【００１６】
本発明の請求項１に係る情報処理装置によれば、集団のメンバー毎にマイクロフォンとスピーカが設けられ、同じ部屋に複数のメンバーがいてもエコーの発生を抑えることができる。
本発明の請求項２に係る情報処理装置によれば、マイクロフォンに入力された音声が同じ部屋にある装置のスピーカからは出力されず、エコーを抑えることができる。
本発明の請求項３に係る情報処理装置によれば、通信回線から供給される音声信号が同じ部屋にある装置から供給されたものであるか精度良く判定できる。
本発明の請求項４に係る情報処理装置によれば、通信回線から供給される音声信号が同じ部屋にある装置から供給されたものであるか精度良く判定できる。
本発明の請求項５に係る情報処理装置によれば、他の部屋の音声を聞くことができる。
本発明の請求項６に係る情報処理装置によれば、他の部屋の音声のみを聞くことができる。
本発明の請求項７に係る情報処理装置によれば、他の部屋へ伝えたくない音声を他の部屋へ出力しないようにすることができる。
本発明の請求項８に係る情報処理装置によれば、他の部屋へ伝えたくない音声を精度良く特定することができる。
本発明の請求項９に係る情報処理装置によれば、他の部屋へ伝えたくない音声を精度良く特定することができる。
本発明の請求項１０に係るプログラムによれば、集団のメンバー毎にマイクロフォンとスピーカが設けられ、同じ部屋に複数のメンバーがいてもエコーの発生を抑えることができる。
【図面の簡単な説明】
【００１７】
【図１】本発明の一実施形態に係る情報処理装置１０Ａ〜１０Ｃの利用シーンの一例を示した図。
【図２】情報処理装置１０のハードウェア構成を示した図。
【図３】プログラムを制御部１０１が実行することにより実現する機能の機能ブロック図。
【図４】情報処理装置１０が表示する画面の一例を示した図。
【図５】音声処理部１０７が生成した音声信号の出力を制御する処理のフローチャート。
【図６】スピーカへの音声信号の供給を制御する処理のフローチャート。
【発明を実施するための形態】
【００１８】
［実施形態］
図１は、本発明に係る情報処理装置１０Ａ〜１０Ｃの利用シーンの一例を示した図である。情報処理装置１０Ａ〜１０Ｃは、カメラ及びマイクロフォンを備えた所謂ラップトップ型のコンピュータ装置である。情報処理装置１０は、ラップトップ型のものに限定されず、デスクトップ型であってもよく、また、スマートフォン、タブレット端末などの携帯型の装置であってもよい。情報処理装置１０Ａ〜１０Ｃの構成は同じであるため、以下、各々を区別する必要がない場合は情報処理装置１０と称する。サーバ装置２０は、Ｗｅｂ会議のサービスを提供するサーバ装置である。情報処理装置１０が通信回線３及びサーバ装置２０を介して映像及び音声の送受信を行うことにより、参加者２Ａ〜２ＣがＷｅｂ会議を行う。会議の参加者２Ａ〜２Ｃは、本発明に係る集団の一例であり、参加者２Ａ〜２Ｃの各々は、本発明に係る集団のメンバーの一例である。なお、図１においては、参加者２Ａ、参加者２Ａが使用する情報処理装置１０Ａ、参加者２Ｂ及び参加者２Ｂが使用する情報処理装置１０Ｂが部屋４Ａに存在し、参加者２Ｃ及び参加者２Ｃが使用する情報処理装置１０Ｃが部屋４Ａとは異なる部屋４Ｂに存在している状態を示している。
【００１９】
図２は、情報処理装置１０のハードウェア構成のうち、本発明に係る部分の一例を示した図である。操作部１０４は、操作者からの入力を受け付けるキーボードやタッチパッドなどの入力デバイスを有する。表示部１０３は、ディスプレイ装置を有し、文字やＧＵＩ（Graphical User Interface）、画像などを表示する。通信部１０５は、通信回線３を介した通信を行う通信インターフェースとして機能する。
【００２０】
音声処理部１０７は、マイクロフォンとスピーカを有している。音声処理部１０７は、通信部１０５がサーバ装置２０から受信したデジタルの音声信号をアナログの音声信号に変換し、スピーカへ供給する。また、音声処理部１０７は、マイクロフォンが収音した音声を表すアナログの音声信号をデジタルの音声信号に変換し、通信部１０５へ供給する。このデジタルの音声信号は、通信部１０５から通信回線３及びサーバ装置２０を介して他の情報処理装置１０へ送信される。
【００２１】
カメラ１０６は、撮像素子、撮像素子に像を結像する光学系、撮像素子へ入射する光を制限する絞りなどを備えている。カメラ１０６は、情報処理装置１０のユーザを撮影し、撮影した像を表す映像信号を生成する。情報処理装置１０を用いてＷｅｂ会議を行う場合、カメラ１０６が生成した映像信号は、通信部１０５から通信回線３及びサーバ装置２０を介して他の情報処理装置１０へ送信される。
【００２２】
記憶部１０２は、コンピュータ読み取り可能な記録媒体であり、例えば、ハードディスクで構成されている。記憶部１０２は、制御部１０１が実行するプログラムやプログラムを実行した制御部１０１が使用する情報を記憶する。なお、プログラムは、電気通信回線を介して取得してもよい。
【００２３】
制御部１０１は、ＣＰＵ（Central Processing Unit）およびメモリを有している。メモリは、コンピュータ読み取り可能な記録媒体であり、例えば、ＲＡＭ（Random Access Memory）で構成されている。情報処理装置１０において実現する機能は、記憶部１０２に記憶されているプログラムをＣＰＵ、メモリなどのハードウェア上に読み込ませることでＣＰＵが演算を行い、記憶部１０２の制御、通信部１０５の制御、音声処理部１０７の制御、カメラ１０６の制御、メモリおよび記憶部１０２における情報の読み出しおよび／または書き込みの制御を行うことで実現される。
【００２４】
図３は、記憶部１０２に記憶されているプログラムを制御部１０１が実行することにより実現する機能のうち、本発明に係る機能の構成を示した機能ブロック図である。第１取得部１００１は、音声処理部１０７が有するマイクロフォンから供給される音声信号を取得する。第１取得部１００１は、本発明に係る第１取得手段の一例である。第２取得部１００２は、通信回線３を介して通信部１０５が受信した音声信号を取得する。第２取得部１００２は、本発明に係る第２取得手段の一例である。出力部１００３は、第１取得部１００１が取得した音声信号が表す音声の音圧レベルが予め定められた閾値以上である場合、取得した音声信号を、通信部１０５を制御して通信回線３へ出力し、音圧レベルが予め定められた閾値未満である場合、第１取得部１００１が取得した音声信号を通信回線３へ出力しない。出力部１００３は、本発明に係る出力手段の一例である。判定部１００５は、第２取得部１００２が取得した音声信号が自装置と同部屋にある装置から出力された音声信号であるか判定する。判定部１００５は、本発明に係る判定手段の一例である。供給部１００４は、第２取得部１００２が取得した音声信号をスピーカへ供給する手段であり、第１取得手段が取得した音声信号が表す音声の音圧レベルが予め定められた閾値以上である場合、第２取得部１００２が取得した音声信号をスピーカへ供給しない。また、供給部１００４は、第１取得部１００１が取得した音声信号が表す音声の音圧レベルが予め定められた閾値未満であり、第２取得部１００２が取得した音声信号が自装置と同部屋にある装置から出力された音声信号であると判定部１００５が判定した場合、第２取得部１００２が取得した音声信号をスピーカへ供給しない。供給部１００４は、本発明に係る供給手段の一例である。
【００２５】
次に、情報処理装置１０の動作例について説明する。参加者２Ａ〜２Ｃの各々は、Ｗｅｂ会議を行う場合、自身が使用する情報処理装置１０の操作部１０４を操作してサーバ装置２０へアクセスし、情報処理装置１０をサーバ装置２０に設けられた仮想会議室へ接続させる。情報処理装置１０Ａ〜１０Ｃが仮想会議室へ接続すると、情報処理装置１０Ａ〜１０Ｃは、カメラ１０６が生成した映像信号をサーバ装置２０へ送信する。なお、この映像信号は、情報処理装置１０を使用する参加者の各々を識別するための参加者識別子を含む。例えば、情報処理装置１０Ａが送信する映像信号には、参加者２Ａを識別する参加者識別子が含まれる。サーバ装置２０は、情報処理装置１０から送信された映像信号を、同じ仮想会議室に接続した他の情報処理装置１０へ送信する。
【００２６】
例えば、情報処理装置１０Ａから送信された映像信号は、サーバ装置２０を介して情報処理装置１０Ｂと情報処理装置１０Ｃへ送信される。また、情報処理装置１０Ｂから送信された映像信号は、サーバ装置２０を介して情報処理装置１０Ａと情報処理装置１０Ｃへ送信され、情報処理装置１０Ｃから送信された映像信号は、サーバ装置２０を介して情報処理装置１０Ａと情報処理装置１０Ｂへ送信される。
【００２７】
情報処理装置１０は、サーバ装置２０から送信された映像信号を受信し、受信した映像信号が表す映像と、映像信号に含まれている参加者識別子を表示部１０３で表示する。図４は、ここで情報処理装置１０Ａが表示する画面の一例を示した図である。情報処理装置１０Ａにおいては、参加者２Ｂの映像と参加者２Ｃの映像が表示される。また、情報処理装置１０Ａにおいては、参加者２Ｂの映像に下に参加者２Ｂの参加者識別子が表示され、参加者２Ｃの映像に下に参加者２Ｃの参加者識別子が表示される。これにより参加者２Ａは、映像で参加者２Ｂと参加者２Ｃの顔を見ることができる。
【００２８】
情報処理装置１０Ｂは、参加者２Ａの映像、参加者２Ａの参加者識別子、参加者２Ｃの映像及び参加者２Ｃの参加者識別子を表示する。これにより参加者２Ｂは、映像で参加者２Ａと参加者２Ｃの顔を見ることができる。また、情報処理装置１０Ｃは、参加者２Ａの映像、参加者２Ａの参加者識別子、参加者２Ｂの映像及び参加者２Ｂの参加者識別子を表示する。これにより参加者２Ｃは、映像で参加者２Ａと参加者２Ｂの顔を見ることができる。
【００２９】
Ｗｅｂ会議の参加者２Ａ〜２Ｃは、参加者の映像が表示されると、会議を始めるにあたり、同じ部屋にいる参加者を指定する操作を行う。図４に示したように、参加者の映像の下には、表示された参加者を同じ部屋にいる参加者として指定するためのＧＵＩであるラジオボタンＢ１とラジオボタンＢ２が表示される。図１に示したように参加者２Ａと参加者２Ｂが同じ部屋４Ａにいる場合、参加者２Ａは、情報処理装置１０Ａを操作し、参加者２Ｂの映像の下に表示されたラジオボタンＢ１をクリックする。この操作が行われると、情報処理装置１０Ａは、ラジオボタンＢ１の上方に表示されている参加者２Ｂの参加者識別子を、同じ部屋にいる参加者の参加者識別子として記憶する。また、図１に示したように参加者２Ａと参加者２Ｃが同じ部屋にいない場合、参加者２Ａは、情報処理装置１０Ａを操作し、参加者２Ｃの映像の下に表示されたラジオボタンＢ２をクリックする。なお、情報処理装置１０Ａは、参加者２Ａが参加者２Ｂの映像の下にあるラジオボタンＢ２をクリックする操作を行うと、記憶した参加者２Ｂの参加者識別子を消去する。
【００３０】
参加者２Ｂは、情報処理装置１０Ｂを操作し、参加者２Ａの映像の下に表示されたラジオボタンＢ１をクリックする。この操作が行われると、情報処理装置１０Ｂは、ラジオボタンＢ１の上方に表示されている参加者２Ａの参加者識別子を、同じ部屋にいる参加者の参加者識別子として記憶する。参加者２Ｃは、図１に示した利用シーンの場合、部屋４Ｂに他の参加者がいないため、参加者２Ａの映像の下に表示されたラジオボタンＢ２をクリックし、参加者２Ｂの映像の下に表示されたラジオボタンＢ２をクリックする。情報処理装置１０Ｃにおいては、ラジオボタンＢ１がクリックされないため、参加者２Ａの参加者識別子と参加者２Ｂの参加者識別子が記憶部１０２に記憶されない。
【００３１】
次に音声処理部１０７が生成した音声信号の処理例について説明する。図５は、音声処理部１０７が生成した音声信号の出力を制御する処理のフローチャートである。情報処理装置１０は、マイクロフォンが収音した音声を表す音声信号を解析し、マイクロフォンが収音した音声の音圧レベルを特定する（ステップＳＡ１）。情報処理装置１０は、マイクロフォンが収音した音声を表す音声信号の出力を、ステップＳＡ１で特定した音圧レベルに応じて制御する。
【００３２】
具体的には、情報処理装置１０は、マイクロフォンが収音した音声の音圧レベルが予め定められた閾値以上である場合（ステップＳＡ２でＹＥＳ）、マイクロフォンが収音した音声を表す音声信号をサーバ装置２０へ送信する（ステップＳＡ３）。なお、サーバ装置２０へ送信される音声信号は、情報処理装置１０を使用する参加者の参加者識別子を含む。また、情報処理装置１０は、マイクロフォンが収音した音声の音圧レベルが予め定められた閾値未満である場合（ステップＳＡ２でＮＯ）、音声信号をサーバ装置２０へ送信しない（ステップＳＡ４）。
【００３３】
サーバ装置２０は、情報処理装置１０から送信された音声信号を受信し、受信した音声信号を仮想会議室に接続している全ての情報処理装置１０へ送信する。即ち、本実施形態においては、情報処理装置１０は、自身が送信した音声信号もサーバ装置２０から受信することとなる。
【００３４】
次に、サーバ装置２０から受信した音声信号の処理例について説明する。図６は、スピーカへの音声信号の供給を制御する処理のフローチャートである。情報処理装置１０は、サーバ装置２０から送信された音声信号を受信すると、同じ部屋にいる参加者の参加者識別子が記憶部１０２に記憶されているか判断する（ステップＳＢ１）。
【００３５】
情報処理装置１０は、同じ部屋にいる参加者の参加者識別子が記憶部１０２に記憶されていない場合（ステップＳＢ１でＮＯ）、受信した音声信号に含まれている参加者識別子において、自装置が送信する参加者識別子以外の参加者識別子があるか判断する（ステップＳＢ２）。情報処理装置１０は、受信した音声信号に含まれている参加者識別子において、自装置が送信する参加者識別子以外の参加者識別子がある場合（ステップＳＢ２でＹＥＳ）、サーバ装置２０から受信した音声信号をアナログの音声信号に変換し、アナログの音声信号をスピーカへ供給する（ステップＳＢ３）。情報処理装置１０は、受信した音声信号に含まれている参加者識別子において、自装置が送信する参加者識別子以外の参加者識別子がない場合（ステップＳＢ２でＮＯ）、スピーカへの音声信号の供給を停止する（ステップＳＢ４）。
【００３６】
例えば、同じ部屋にいる参加者の参加者識別子を記憶していない情報処理装置１０Ｃは、情報処理装置１０Ａが送信した参加者２Ａの参加者識別子を含む音声信号のみを受信した場合、受信した音声信号をアナログの音声信号に変換してスピーカへ供給する（ステップＳＢ３）。この場合、参加者Ａの音声が情報処理装置１０Ｃのスピーカから出力される。情報処理装置１０Ｃは、情報処理装置１０Ａが送信した音声信号に加え、参加者２Ｃの参加者識別子を含む音声信号を受信した場合、受信した音声信号をアナログの音声信号に変換してスピーカへ供給する（ステップＳＢ３）。この場合、参加者Ａの音声と参加者Ｃの音声が情報処理装置１０Ｃのスピーカから出力される。情報処理装置１０Ｃは、参加者２Ｃの参加者識別子を含む音声信号のみを受信した場合、スピーカへの音声信号の供給を停止する（ステップＳＢ４）。
【００３７】
情報処理装置１０は、同じ部屋にいる参加者の参加者識別子が記憶部１０２に記憶されている場合（ステップＳＢ１でＹＥＳ）、受信した音声信号に含まれている参加者識別子において、自装置が送信する参加者識別子及び記憶部１０２に記憶されている参加者識別子以外の参加者識別子があるか判断する（ステップＳＢ５）。情報処理装置１０は、受信した音声信号に含まれている参加者識別子において、自装置が送信する参加者識別子及び記憶部１０２に記憶されている参加者識別子以外の参加者識別子がある場合（ステップＳＢ５でＹＥＳ）、サーバ装置２０から送信された音声信号をアナログの音声信号に変換し、アナログの音声信号をスピーカへ供給する（ステップＳＢ６）。
【００３８】
例えば、情報処理装置１０Ａは、情報処理装置１０Ｃが送信した音声信号のみを受信した場合、受信した音声信号をアナログの音声信号に変換してスピーカへ供給する（ステップＳＢ６）。この場合、参加者Ｃの音声が情報処理装置１０Ａのスピーカから出力される。情報処理装置１０Ａは、情報処理装置１０Ｃが送信した音声信号に加え、自身が送信した音声信号を受信した場合、受信した音声信号をアナログの音声信号に変換してスピーカへ供給する（ステップＳＢ６）。この場合、参加者Ａの音声と参加者Ｃの音声が情報処理装置１０Ａのスピーカから出力される。
【００３９】
情報処理装置１０Ｂは、情報処理装置１０Ｃが送信した音声信号のみを受信した場合、受信した音声信号をアナログの音声信号に変換してスピーカへ供給する（ステップＳＢ６）。この場合、参加者Ｃの音声が情報処理装置１０Ｂのスピーカから出力される。情報処理装置１０Ｂは、情報処理装置１０Ｃが送信した音声信号に加え、情報処理装置１０Ａが送信した音声信号を受信した場合、受信した音声信号をアナログの音声信号に変換してスピーカへ供給する（ステップＳＢ６）。この場合、参加者Ａの音声と参加者Ｃの音声が情報処理装置１０Ｂのスピーカから出力される。
【００４０】
情報処理装置１０は、同じ部屋にいる参加者の参加者識別子が記憶部１０２に記憶されており（ステップＳＢ１でＹＥＳ）、受信した音声信号に含まれている参加者識別子において、自装置が送信する参加者識別子及び記憶部１０２に記憶されている参加者識別子以外の参加者識別子がない場合（ステップＳＢ５でＮＯ）、即ち、受信した音声信号の中に他の部屋にある情報処理装置１０から送信された音声信号がない場合、スピーカへの音声信号の供給を停止する（ステップＳＢ７）。
【００４１】
例えば、情報処理装置１０Ａは、情報処理装置１０Ｂが送信した音声信号のみを受信した場合、又は情報処理装置１０Ｂが送信した音声信号に加え、情報処理装置１０Ａが送信した音声信号を受信した場合、スピーカへの音声信号の供給を停止する（ステップＳＢ７）。また、情報処理装置１０Ｂは、情報処理装置１０Ａが送信した音声信号のみを受信した場合、又は情報処理装置１０Ｂが送信した音声信号に加え、情報処理装置１０Ａが送信した音声信号を受信した場合、スピーカへの音声信号の供給を停止する（ステップＳＢ７）。
【００４２】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００４３】
上述した実施形態においては、各情報処理装置１０は、サーバ装置２０を介して参加者識別子を含む音声信号及び映像信号の授受を行っているが、サーバ装置２０を介さず情報処理装置１０Ａ〜１０Ｃが互いに接続して参加者識別子を含む映像信号及び音声信号の授受を行うことによりＷｅｂ会議を行う構成であってもよい。
【００４４】
本発明においては、音声処理部１０７が備えるマイクロフォンの指向性は、単一指向性であってもよい。また、本発明においては、音声処理部１０７が備えるスピーカは、狭指向性のスピーカであってもよい。
【００４５】
本発明においては、情報処理装置１０は、音声信号を受信している場合、受信した音声信号を送信した情報処理装置１０から送信された映像信号の映像を表示している領域内において、発話中であることを表す画像を表示してもよい。
【００４６】
本発明においては、情報処理装置１０は、カメラ１０６が生成した映像信号を解析し、解析結果に応じて音声信号のサーバ装置２０への送信を制御してもよい。例えば、情報処理装置１０は、カメラ１０６が生成した映像信号を解析し、カメラ１０６が撮影した参加者の視線の方向を特定する。情報処理装置１０は、特定した視線の方向がカメラ１０６の方向又は表示部１０３の方向ではない場合、音声信号をサーバ装置２０へ送信しないようにしてもよい。この変形例によれば、情報処理装置１０は、参加者の視線の方向がカメラ１０６の方向又は表示部１０３の方向ではなく、例えば、同じ部屋にいる参加者の方向である場合、音声信号をサーバ装置２０へ送信しない。参加者が同じ部屋にいる他の参加者へ視線を向けて話をする場合には、会話の音声がサーバ装置２０へ送信されないため、同じ部屋にいる参加者のみで会話を行いたいときに他の部屋にいる参加者に会話の内容を聞かれることがない。また、情報処理装置１０は、本発明に係る認識手段を有し撮影した参加者の顔を認識し、参加者の顔が発話を始める前の状態となった場合、又は参加者の顔の状態が発話をしている状態である場合、図５の処理を行うようにしてもよい。
【００４７】
本発明においては、サーバ装置２０は、音声信号を情報処理装置１０へ送信する際に、受信した音声信号を、受信した音声信号を送信した情報処理装置１０へ送信しないようにしてもよい。
【００４８】
本発明においては、情報処理装置１０は、受信した音声信号に含まれている参加者識別子が、自身が送信する参加者識別子と同じ識別子である場合、自身が送信する参加者識別子を含む音声信号について、アナログの音声信号に変換せず、アナログの音声信号のスピーカへの供給を行わないようにしてもよい。また、情報処理装置１０は、受信した音声信号に含まれている参加者識別子が、同じ部屋にいる参加者の参加者識別子として記憶した参加者識別子と同じ識別子である場合、当該参加者識別子を含む音声信号について、アナログの音声信号に変換せず、アナログの音声信号のスピーカへの供給を行わないようにしてもよい。
【００４９】
情報処理装置１０は、マイクロフォンで収音された音声と、通信部１０５が受信した音声信号が表す音声とのマッチングを行い、受信した音声信号が表す音声がマイクロフォンで収音された音声と一致したと判定した場合、受信した音声信号について、アナログの音声信号に変換せず、アナログの音声信号のスピーカへの供給を行わないようにしてもよい。
【００５０】
上述した実施形態においては、情報処理装置１０のユーザは、Ｗｅｂ会議の参加者であるが、Ｗｅｂ会議の参加者に限定されるものではない。例えば、情報処理装置１０のユーザは、通信回線３を利用して行うオンラインゲームのプレーヤであってもよい。
【符号の説明】
【００５１】
２Ａ〜２Ｃ…参加者、３…通信回線、４Ａ、４Ｂ…部屋、１０、１０Ａ〜１０Ｃ…情報処理装置、１０１…制御部、１０２…記憶部、１０３…表示部、１０４…操作部、１０５…通信部、１０６…カメラ、１０７…音声処理部、１００１…第１取得部、１００２…第２取得部、１００３…出力部、１００４…供給部、１００５…判定部。
【図１】
2019140517.tif 000003
【図２】
2019140517.tif 000004
【図３】
2019140517.tif 000005
【図４】
2019140517.tif 000006
【図５】
2019140517.tif 000007
【図６】
2019140517.tif 000008